(57)【特許請求の範囲】
【請求項１】
用紙を搬送する搬送路におけるジャムの発生を表示する画像形成装置において、
ジャムが発生した場合に、ジャムの発生位置を示す装置外観図と、前記装置外観図におけるジャムの発生位置を拡大した拡大図と、を同一表示画面上に並べて表示する表示部と、
前記表示部を制御するサブ中央演算処理装置と、
画像形成装置の動作を制御するメイン中央演算処理装置と、
前記表示部によって表示される前記装置外観図および拡大図を含む情報を記憶しておくメモリとを有し、
前記表示部の待機時画面には、ジャム処理に必要のない情報が示される装置概観図と、コピーの仕上がり形態図とが同一表示画面上に並べて表示され、
前記サブ中央演算処理装置は、前記メイン中央演算処理装置から転送される画像形成装置の動作状態を示す制御信号を受信したとき、前記待機時画面において表示される装置外観図から前記ジャム処理に必要のない情報を消し、ジャムの発生位置を表示させるとともに、前記待機時画面において表示される前記コピーの仕上がり形態図を、前記装置概観図におけるジャムの発生位置を拡大した拡大図の表示に切り換え、
前記拡大図には、ジャムの処理のために操作する部材の操作方向が表示されることを特徴とする画像形成装置。
【請求項２】
前記拡大図には、ジャムの処理のために操作する部材を白黒反転させて表示することを特徴とする請求項１に記載の画像形成装置。
【請求項３】
前記拡大図は、内部の構造を示すものであることを特徴とする請求項１に記載の画像形成装置。
【請求項４】
前記表示部は、前記ジャムの処理のための操作内容を示すメッセージを表示することを特徴とする請求項１に記載の画像形成装置。
【発明の詳細な説明】
【技術分野】
【０００１】
本発明は、用紙を搬送する複数の搬送路を有し、この搬送路におけるジャムの発生位置を表示する画像形成装置に関するものである。
【背景技術】
【０００２】
従来、特許文献１や特許文献２に記載されている画像形成装置においては、例えば、用紙の搬送路でジャムが発生した場合、操作パネルの表示画面等に、ジャムの発生位置及び処理内容を表示して使用者に対してジャム処理手順のガイダンス表示を行っていた。
【０００３】
【特許文献１】特開平８−６９２２３号公報
【特許文献２】特開平８−１２３２５９号公報
【発明の開示】
【発明が解決しようとする課題】
【０００４】
しかしながら、従来では、このような画像形成装置のガイダンス表示において、上記表示画面に表示される内容は、装置の全体図、若しくは拡大図（詳細図）のどちらか一方において、ジャムの発生位置とジャムの処理手順とを表示していた。このため、特に、ジャム処理を行う使用者が操作になれていない場合、装置の全体図によってガイダンス表示を行うものにおいては、画面が小さくなるので詳細なジャム処理手順が分かりにくく、逆に、拡大図によってガイダンス表示を行うものにおいては、装置の一部しか表示されないためジャムの発生位置が分かりにくいという問題があった。
【課題を解決するための手段】
【０００５】
上記の問題を解決するために本発明は、用紙を搬送する搬送路におけるジャムの発生を表示する画像形成装置において、
ジャムが発生した場合に、ジャムの発生位置を示す装置外観図と、前記装置外観図におけるジャムの発生位置を拡大した拡大図と、を同一表示画面上に並べて表示する表示部と、
前記表示部を制御するサブ中央演算処理装置と、
画像形成装置の動作を制御するメイン中央演算処理装置と、
前記表示部によって表示される前記装置外観図および拡大図を含む情報を記憶しておくメモリとを有し、
前記表示部の待機時画面には、ジャム処理に必要のない情報が示される装置概観図と、コピーの仕上がり形態図とが同一表示画面上に並べて表示され、
前記サブ中央演算処理装置は、前記メイン中央演算処理装置から転送される画像形成装置の動作状態を示す制御信号を受信したとき、前記待機時画面において表示される装置外観図から前記ジャム処理に必要のない情報を消し、ジャムの発生位置を表示させるとともに、前記待機時画面において表示される前記コピーの仕上がり形態図を、前記装置概観図におけるジャムの発生位置を拡大した拡大図の表示に切り換え、
前記拡大図には、ジャムの処理のために操作する部材の操作方向が表示されることを特徴とする画像形成装置である。
【０００６】
また本発明は、前記拡大図には、ジャムの処理のために操作する部材を白黒反転させて表示することを特徴とする。
【０００７】
また本発明は、前記拡大図は、内部の構造を示すものであることを特徴とする。
また本発明は、前記表示部は、前記ジャムの処理のための操作内容を示すメッセージを表示することを特徴とする。
【発明の効果】
【０００８】
本発明によれば、ジャムの発生時に、サブ中央演算処理装置がメイン中央演算処理装置から画像形成装置の動作状態を示す制御信号を受信し、それに基づき表示部の動作指示を行うことによって、ジャム処理に必要のない情報が示される装置概観図とコピーの仕上がり形態図とが同一表示画面上に並べて表示される待機時画面から、ジャムの発生位置を表示する装置外観図と、この装置外観図におけるジャムの発生位置を拡大した拡大図とが、同一表示画面上に並べて表示される。これによって使用者は、装置外観図と拡大図とを、同一表示画面上で容易に対応させて、ジャムの発生位置の情報を、正確に把握することができる。しかも拡大図には、ジャムの処理のために操作する部材を、どのような方向に操作すべきか、操作方向が表示される。このように表示画面をより効率的に使用し、使用者が、ジャムの発生位置の構造および処理の手順を、正確に把握できるようにして、画像形成装置の構造に詳しくない使用者であっても、ジャムの処理を容易かつ確実に実行することができる。
【０００９】
本発明によれば、ジャムの発生時に、ジャムの発生位置を表示する装置外観図と、この装置外観図におけるジャムの発生位置を拡大した拡大図とが、同一表示画面上に並べて表示される。これによって使用者は、装置外観図と拡大図とを、同一表示画面上で容易に対応させて、ジャムの発生位置の情報を、正確に把握することができる。しかも拡大図には、ジャムの処理のために操作する部材が、白黒反転されて表示される。これによって使用者は、ジャムの処理のために、どの部材を操作すればよいか、容易に把握することができる。このように表示画面をより効率的に使用し、使用者が、ジャムの発生位置の構造および処理の手順を、正確に把握できるようにして、画像形成装置の構造に詳しくない使用者であっても、ジャムの処理を容易かつ確実に実行することができる。
【００１０】
また本発明によれば、拡大図には、ジャムの発生位置における内部の詳細な構造が示される。これによって使用者は、ジャムの発生位置の構造を詳細に把握し、ジャムの処理を容易かつ確実に実行することができる。
【００１１】
また本発明によれば、ジャムの処理の操作内容を示すメッセージが表示される。これによって使用者は、メッセージから、ジャムを処理するために、どのような操作をすればよいか、容易に把握することができる。したがって使用者は、ジャムの処理を容易かつ確実に実行することができる。
【発明を実施するための最良の形態】
【００１２】
本発明の画像形成装置の表示装置を備えた画像形成装置であるデジタル複写機について、図とともに説明する。
【００１３】
まず、デジタル複写機は、例えば、複写モード、プリンタモード、ファックスモード等を有するものであって、図１は本発明の画像形成装置の表示装置を備えたデジタル複写機の全体構成を示す断面図である。
【００１４】
まず、図１においてデジタル複写機について説明する。本発明のデジタル複写機３０は大きく分けてスキャナ部３１と、レーザ記録部３２から構成されている。
【００１５】
このスキャナ部３１は、透明ガラスからなる原稿載置台３５と、原稿載置台３５上へ自動的に原稿を供給搬送するための両面対応自動原稿送り装置（ＲＡＤＦ）３６と、原稿載置台３５上に載置された原稿の画像を走査して読み取るための原稿画像読取ユニット、すなわち、スキャナユニット４０から構成されている。このスキャナ部３１にて読み取られた原稿画像は、画像データとして後述する画像データ入力部へと送られ、画像データに対して所定の画像処理が施される。
【００１６】
上記ＲＡＤＦ３６は、備えられた図示しない原稿トレイ上に複数枚の原稿を一度にセットしておき、セットされた原稿を１枚ずつ自動的にスキャナユニット４０の原稿載置台３５上へ給送する装置である。また、ＲＡＤＦ３６は、使用者の選択に応じて原稿の片面または両面をスキャナユニット４０に読み取らせるように、片面原稿のための搬送経路と、両面原稿のための搬送経路と、搬送経路切り換え手段と、各部を通過する原稿の状態を把握し管理するセンサ群と、制御部などから構成されている。このＲＡＤＦ３６については、公知の技術であるので詳細な説明は省略する。
【００１７】
上記原稿載置台３５上の原稿の画像を読み取るためのスキャナ部３１を構成するスキャナユニット４０は、原稿面上を露光するランプリフレクターアセンブリ４１と、原稿からの反射光像を光電変換素子（ＣＣＤ）４４に導くための原稿からの反射光を反射する第１反射ミラー４２ａを搭載してなる第１走査ユニット４０ａと、第１走査ユニット４０ａからの反射光像をＣＣＤ４４に導くための第２，第３反射ミラー４２ｂ，４２ｃを搭載してなる第２走査ユニット４０ｂと、原稿からの反射光像を上述した各反射ミラー４２を介してＣＣＤ４４上に結像させるための光学レンズ４３と、原稿からの反射光像を電気的画像信号に変換するＣＣＤ４４から構成される。
【００１８】
上記スキャナ部３１は、上記ＲＡＤＦ３６とスキャナユニット４０の関連した動作により原稿載置台３５上に読み取るべき原稿を順次載置させながら、原稿載置台３５の下面に沿ってスキャナユニット４０を移動させて原稿画像を読み取るように構成されている。
【００１９】
特に、第１走査ユニット４０ａは、原稿載置台３５に沿って左から右へと一定速度Ｖで走行され、また、第２走査ユニット４０ｂは、その速度Ｖに対してＶ／２の速度で同一方向に平行に走査制御される。これにより、原稿載置台３５上に載置された原稿の画像を１ライン毎に順次ＣＣＤ４４へと結像させて画像を読み取ることとなる。
【００２０】
原稿画像をスキャナユニット４０にて読み取ることにより得られた画像データは、後述する画像処理部へ送られ、各種処理が施された後、画像処理部のメモリに一旦記憶され、出力指示に応じてメモリ内の画像を読み出してレーザプリンタ部３２に転送して記録シート上に画像を形成させる。
【００２１】
このレーザプリンタ部３２は画像を形成させるための記録材である用紙の搬送系（用紙搬送路）と、レーザ書込ユニット４６と、画像を形成するための電子写真プロセス部４８とを備えている。
【００２２】
このレーザ書込ユニット４６は、上述したスキャナユニット４０にて読み取った後のメモリから読み出した画像データ、または、外部の装置から転送されてきた画像データに応じてレーザ光を出射する半導体レーザ光源、レーザ光を等角速度偏向するポリンゴンミラー、等角速度で偏向されたレーザ光が電子写真プロセス部４８を構成する感光体ドラム上で等角速度で偏向されるように補正するｆ−θレンズなどを有している。
【００２３】
上記電子写真プロセス部４８は、周知である感光体ドラムの周囲に、帯電器、現像器、転写器、剥離器、クリーニング部器、除電器を備えている。
【００２４】
一方、用紙の搬送系（用紙搬送路）は、上述した画像形成を行う電子写真プロセス部４８の特に転写器が配設された転写位置へと用紙を搬送する搬送部と、該搬送部へ用紙を給紙するためのカセット給紙装置５１，５２，５３と、必要なサイズの用紙を適宜給紙するための手差し給紙装置５４と、転写後の用紙に形成された画像、特にトナー像を定着するための定着器４９と、定着後の用紙の裏面に再度画像を形成するために用紙を再度電子写真プロセス部４８の転写位置へ供給するための再供給経路５５とを備えている。また、定着器４９の下流側には、画像が記録された用紙を受け取り、この用紙に対して所定の処理を施す後処理装置３４が配置されている。
【００２５】
上記レーザ書込ユニット４６及び電子写真プロセス部４８において、画像メモリから読み出された画像データは、レーザ書込ユニット４６によってレーザ光線を走査させることにより感光体ドラムの表面上に静電潜像として形成され、トナーにより可視像化されたトナー像はカセット給紙装置５１，５２，５３，手差し給紙装置５４から搬送された用紙の面上に静電転写され定着される。このようにして画像が形成された用紙は定着器４９から排紙ローラ５７を経由して後処理装置３４内へと搬送される。
【００２６】
（画像処理部の回路説明）
次に、このデジタル複写機３０における読み取られた原稿画像情報に画像処理を行う画像処理部の構成及び機能について説明する。
【００２７】
図２は、図１のデジタル複写機３０を構成している各種ユニット部、画像処理部などの全体ブロック図であり、略中央に位置するメイン中央演算処理装置（ＣＰＵ）４０１により各ユニット部毎に搭載されたサブ中央演算処理装置との連携を取りながら動作管理している状態を示す図である。
【００２８】
このブロック図から分かるように、大きくは操作パネルを管理制御するオペレーションパネルボード１００と、デジタル複写機３０を構成する各ユニットを管理制御するマシンコントロールボード２００と、原稿画像を電気的に読み取り電子データとするＣＣＤボード３００と、ＣＣＤボード３００にて電子データ化された原稿画像に対して所定の画像処理を施すメイン画像処理ボード４００と、このメイン画像処理ボード４００にて処理された画像情報に対してさらに所定の画像処理を施すサブ画像処理ボード５００と、さらにサブ画像処理ボード５００にインターフェイスを介して接続されたその他の拡張ボード群６００（プリンタボード６０１，機能拡張ボード６０２，ＦＡＸボード６０３）などから構成されている。 以下、各ボード毎に管理制御している内容について説明する。
【００２９】
（オペレーションパネルボード１００）
オペレーションパネルボード１００は、基本的にサブ中央演算処理装置（ＣＰＵ）１０１により制御されており、操作パネル１０３上に配置されたＬＣＤ表示部１０４の表示画面、各種モードに関する指示を入力する操作キー群１０５からの操作入力などを管理している。
【００３０】
そして、操作キー群１０５から入力されたデータ、ＬＣＤ表示部１０４の画面に表示させる情報など操作パネル１０３における各種制御情報を記憶しておくメモリ１０２が設けられている。この構成において、サブＣＰＵ１０１は、メインＣＰＵ４０１との制御データ通信を行い、デジタル複写機３０の動作指示を行う。
【００３１】
また、メインＣＰＵ４０１からは、デジタル複写機３０の動作状態を示す制御信号をサブＣＰＵ１０１ へと転送することで、操作パネル１０３のＬＣＤ表示部１０４を通して装置が現在どのような状態にあるのか使用者に動作状態を表示するようになっている。
【００３２】
（マシンコントロールボード２００）
マシンコントロールボード２００は、サブＣＰＵ２０１により全体が制御されており、ＡＤＦ・ＲＡＤＦなどの自動原稿送り装置２０３と、原稿画像を読み取る読取スキャナ部２０４と、画像情報を画像として再現するプロセス部２０５と、画像が記録される用紙をカセット給紙装置からプロセス部２０５へ向かって順次搬送する給紙搬送部２０６と、画像が形成された用紙を反転させて用紙の両面に画像が形成されるように用紙を反転搬送する両面ユニット２０７と、画像が形成された用紙に対してステープルなどの後処理を行うフィニッシャ２０８などを管理している。
【００３３】
（ＣＣＤボード３００）
ＣＣＤボード３００は、原稿画像を電気的に読み取るためのＣＣＤ３０１（４４）と、ＣＣＤ３０１を駆動する回路（ＣＣＤゲートアレイ）３０２と、ＣＣＤ３０１から出力されるアナログデータのゲイン調整などを行うアナログ回路３０３と、ＣＣＤ３０１のアナログ出力をデジタル信号に変換して電子データとして出力するＡ／Ｄ変換器３０４などから構成され、制御管理はメインＣＰＵ４０１により行われている。
【００３４】
（メイン画像処理ボード４００）
メイン画像処理ボード４００は、メインＣＰＵ４０１により制御され、上記ＣＣＤボード３００から送られてきた原稿画像の電子データをもとに、画像の階調性を所望の状態で表現できるようにシェーディング補正， 濃度補正， 領域分離， フィルタ処理， ＭＴＦ補正， 解像度変換， 電子ズーム（変倍処理），ガンマ補正など多値の画像データの状態のまま処理を施す多値画像処理部４０２と、処理が施された画像データあるいは処理の手順管理など各種制御情報を記憶させておくメモリ４０３と、処理が施された画像情報でもって画像を再現するためにレーザ書込ユニット４６側へとデータを転送制御するレーザコントロール４０４などから構成される。
【００３５】
（サブ画像処理ボード５００）
サブ画像処理ボード５００は、メイン画像処理ボード４００とコネクタ（４０５・５０５）接続され、メイン画像処理ボード４００上のメインＣＰＵ４０１により制御された２値画像処理部５０１と、画像処理の施された２値画像情報あるいは処理上での制御情報などを記憶管理するメモリ及びメモリを制御するゲートアレイ５０２と、複数枚の原稿画像情報を記憶管理しておき、複数枚の原稿画像を繰り返し所望部数の数だけ読み出して複数の複写物を生成するためのハードディスク及びハードディスクを制御するゲートアレイ５０３と、外部インターフェイスとしてのＳＣＳＩ及びＳＣＳＩを制御するゲートアレイ５０４などから構成される。
【００３６】
また、上述の２値画像処理部５０１は、多値画像情報を２値画像に変換する処理部、画像を回転する処理部、２値画像の変倍処理を行う２値変倍（ズーム）処理部などから構成され、さらに、ファックス画像を通信手段を介して送受信することができるようにファックスインターフェイスも備えている。
【００３７】
（拡張ボード群６００）
拡張ボード群６００としては、パーソナルコンピュータなどから送られてくるデータをデジタル複写機３０のプリンタ部からプリンタモードとして出力可能とするためのプリンタボード６０１と、デジタル複写機３０の編集機能を拡張してデジタル複写機３０の特徴を有効活用するための機能拡張ボード６０２と、デジタル複写機３０のスキャナ部から読み込んだ原稿画像を相手先に対して送信したり、相手先から送られてきた画像情報をデジタル複写機３０のプリンタ部から出力することを可能にするファクシミリボード６０３などがある。
【００３８】
（ＬＣＤ表示部１０４の表示形態）
デジタル複写機３０の搬送系（用紙搬送路）において用紙搬送ジャムが発生した場合には、ＬＣＤ表示部１０４にジャムの発生位置とジャム処理の操作手順との表示が行われる。このＬＣＤ表示部１０４は、図２において、操作パネル１０３及びオペレーションパネルボード１００によって構成され、サブＣＰＵ１０１によって制御される。
【００３９】
上記ＬＣＤ表示部１０４は図３に示すように操作パネル１０３に操作キー群１０５とともに配置されている。ＬＣＤ表示部１０４のタッチパネル型液晶画面における待機時画面（デフォルト画面は、コピー用の画面であるとする）は、図４は示すように、例えば、装置外観図１０４ａとコピーの仕上がり形態図１０４ｂが表示されている。
【００４０】
そして、用紙搬送ジャムが発生した場合、上記ＬＣＤ表示部１０４は待機時画面から自動的に図５に示すジャム処理画面に切り換わる。すなわち、装置外観図１０４ａは、図４の待機時画面では各カセットに収容されている用紙サイズ等の情報が表示されているが、図５のジャム処理画面では、ジャム処理に必要のない情報は消え、ジャムの発生位置の表示が行われる。
【００４１】
また、図４の待機時画面においてコピーの仕上がり形態図１０４ｂは、図５のジャム処理画面では、ジャムの発生位置の詳細図（拡大図）１０４ｃの表示に切り換わり、ジャム処理の操作手順に必要な詳細な処理内容が表示される。
【００４２】
すなわち、ジャム処理画面の詳細図１０４ｃでは、使用者が操作しなければならない部材を白黒反転などの表示によって示し、さらに、当該部材をどのように操作するのかメッセージ表示される。
【００４３】
例えば、あるレバーを引っ張って回転させるような操作が必要であれば、当該レバーを白黒反転させて表示し、それを引っ張って回転させるようメッセージ表示をすればよい（回転方向は詳細図画面中で矢印表示を行うとよい）。
【００４４】
このように、ジャムの発生時に、ジャムの発生位置を示した装置外観図１０４ａと、ジャム処理の操作手順を示した詳細図１０４ｃとを同時にＬＣＤ表示部１０４に表示するため、使用者は、装置外観図１０４ａによってジャムの発生位置を、詳細図１０４ｃによってジャム処理の操作手順を知ることができるので、表示画面上をより効率的に使用できるとともに、デジタル複写機の構造に詳しくない使用者であってもジャム処理を容易で確実に行うことができる。
【００４５】
本発明は、次の実施の形態が可能である。
（１）用紙を搬送する複数の搬送路を有し、この搬送路におけるジャムの発生位置を表示する画像形成装置の表示装置において、装置全体の外観図にジャムの発生位置を概略表示すると同時にジャムの発生位置の詳細図におけるジャム処理の操作手順の詳細表示を行う表示手段を備えた画像形成装置の表示装置。
【００４６】
ジャムの発生時に、ジャムの発生位置を装置全体の外観図に概略表示すると同時に、ジャム処理の操作手順をジャムの発生位置の詳細図に詳細表示することによって、使用者はジャムの発生位置とジャム処理の操作手順を同一表示装置上で知ることができるので、表示画面上をより効率的に使用できるとともに、デジタル複写機の構造に詳しくない使用者であってもジャム処理を容易で確実に行うことができる。
【図面の簡単な説明】
【００４７】
【図１】本発明の画像形成装置の表示装置を備えたデジタル複写機の全体構成を示す断面図である。
【図２】図１のデジタル複写機のブロック図である。
【図３】図２の操作パネルを示す平面図である。
【図４】図３のＬＣＤ表示部の待機時の表示形態を示す説明図である。
【図５】図３のＬＣＤ表示部のジャム発生時の表示形態を示す説明図である。
【符号の説明】
【００４８】
３０  デジタル複写機
１０４  ＬＣＤ表示部
１０４ａ  装置外観図
１０４ｃ  詳細図
【図１】
0004602316.tif 000002
【図２】
0004602316.tif 000003
【図３】
0004602316.tif 000004
【図４】
0004602316.tif 000005
【図５】
0004602316.tif 000006